(57)【要約】【課題】高濃度の有効成分を保持する機能ミストを生成することのできる機能ミスト生成装置を提供する。【解決手段】本発明の機能ミスト生成装置を、液体中に気体を加圧注入することで該液体にナノメータサイズの気泡が混合した気液混合液を生成する加圧部１１と、加圧部１１内にて加圧された状態にある気体に放電を生じさせる放電部３と、放電部３に高電圧を印加させる電圧印加部４と、放電により有効成分が生じた気体を加圧注入することで生成された気液混合液から成る機能液をさらにミスト化するミスト発生部９とを具備したものとする。【選択図】図１
2011025203.tif 000002
【特許請求の範囲】
【請求項１】
液体中に気体を加圧注入することで該液体にナノメータサイズの気泡が混合した気液混合液を生成する加圧部と、加圧部内にて加圧された状態にある気体に放電を生じさせる放電部と、放電部に高電圧を印加させる電圧印加部と、放電により有効成分が生じた気体を加圧注入することで生成された気液混合液から成る機能液をさらにミスト化するミスト発生部とを具備することを特徴とする機能ミスト生成装置。
【請求項２】
前記気液混合液をなす液体は、水素結合を形成する分子からなる液体であり、該液体の気泡との界面に存在する分子の水素結合の距離が、該液体が常温常圧であるときの水素結合よりも短いことを特徴とする請求項１に記載の機能ミスト生成装置。
【請求項３】
前記気液混合液をなすナノメータサイズの気泡は、０．１２ＭＰａ以上の圧力の気体で形成したものであることを特徴とする請求項２に記載の機能ミスト生成装置。
【請求項４】
前記放電部は、電極部と、電極部に密着して又は近傍に配置される絶縁スペーサとを備え、電極部に高電圧を印加することで、絶縁スペーサに沿って形成される微小な放電空間内においてマイクロプラズマ放電を生じさせるマイクロプラズマ発生装置であることを特徴とする請求項１〜３のいずれか一項に記載の機能ミスト生成装置。
【請求項５】
前記ミスト発生部は、加圧部で与える圧力を利用して機能液をミスト化するものであることを特徴とする請求項１〜４のいずれか一項に記載の機能ミスト生成装置。
【請求項６】
前記ミスト発生部は、機能液に電圧を印加することで該機能液に静電霧化を生じさせてミスト化する静電霧化装置であることを特徴とする請求項１〜３のいずれか一項に記載の機能ミスト生成装置。
【請求項７】
前記放電部は、電極部と、電極部に密着して又は近傍に配置される絶縁スペーサとを備え、電極部に高電圧を印加することで、絶縁スペーサに沿って形成される微小な放電空間内においてマイクロプラズマ放電を生じさせるマイクロプラズマ発生装置であり、且つ、前記ミスト発生部は、機能液に電圧を印加することで該機能液に静電霧化を生じさせる静電霧化装置であることを特徴とする請求項１〜３のいずれか一項に記載の機能ミスト生成装置。
【請求項８】
前記電圧印加部は、放電部に電圧を印加させるための手段と、ミスト発生部で機能液に電圧を印加するための手段とに共用するものであることを特徴とする請求項６又は７に記載の機能ミスト生成装置。
【発明の詳細な説明】
【技術分野】
【０００１】
本発明は、有効成分を含んだ機能ミストを生成することのできる機能ミスト生成装置に関する。
【背景技術】
【０００２】
従来、オゾン等の有効成分を含む機能ミストを生成することのできる機能ミスト生成装置が知られている。この機能ミスト生成装置は、オゾン等の有効成分を含む機能液を生成し、この機能液をミスト化して放出するといった構成である（例えば特許文献１参照）。
【０００３】
しかし、上記構成からなる従来の機能ミスト生成装置では、機能液中に有効成分を存在させる量に限界があり、したがって、機能ミストが保持する有効成分の濃度にも限界があるという問題がある。
【先行技術文献】
【特許文献】
【０００４】
【特許文献１】特開２００６−３４６２０３号公報
【発明の概要】
【発明が解決しようとする課題】
【０００５】
本発明は上記問題点に鑑みて発明したものであって、高濃度の有効成分を保持する機能ミストを生成することのできる機能ミスト生成装置を提供することを、課題とする。
【課題を解決するための手段】
【０００６】
上記課題を解決するために本発明の機能ミスト生成装置を、液体中に気体を加圧注入することで該液体にナノメータサイズの気泡が混合した気液混合液を生成する加圧部１１と、加圧部１１内にて加圧された状態にある気体に放電を生じさせる放電部３と、放電部３に高電圧を印加させる電圧印加部４と、放電により有効成分が生じた気体を加圧注入することで生成された気液混合液から成る機能液をさらにミスト化するミスト発生部９とを具備したものとする。
【０００７】
本発明の機能ミスト生成装置によれば、加圧部１１内にて放電部３によって生成した有効成分を液体中に混合させ、ナノメータサイズの微細な気泡の形で存在させることができる。したがって、有効成分を含む気体を飽和溶解度を超える量で液体中に存在させておくことができる。また、ナノメータサイズの微細な気泡には浮力が働かないため、この有効成分を含む気体からなる気泡を、液体中に長期間に亘って安定に存在させることができる。これにより、有効成分を安定的に且つ高濃度で保持する機能液を創り出すことが可能となる。そして、ここで創り出した機能液をさらにミスト化することによって、高濃度の有効成分を保持する機能ミストを創り出すことができるのである。
【０００８】
なお、有効成分を発生させるための放電箇所として加圧部１１内の加圧気体を利用したことで、比較的低電圧であっても有効成分を高濃度で生成することが可能となる。つまり、本発明の機能ミスト生成装置によれば、有効成分を非常に高濃度に含んだ状態の機能ミストを、要するエネルギを低減したうえで効率的に創り出すことが可能となるのである。
【０００９】
本発明の機能ミスト生成装置において、前記気液混合液をなす液体は、水素結合を形成する分子からなる液体であり、該液体の気泡との界面に存在する分子の水素結合の距離が、該液体が常温常圧であるときの水素結合よりも短いことが好ましい。このようにすると、気泡界面における水素結合の距離が短くなることによって、気泡の周囲を強固な水素結合を形成した液体分子で取り囲むことができる。この水素結合を形成した液体分子は強固な殻となって気泡を包み込むので、気泡同士が衝突して崩壊することが防止されるとともに、液体からの圧力に対して気泡内部からの応力で対抗できるので、気泡を液体中で消滅させたり合体させたりすることなく安定に存在させることができる。そして、このように気泡が高濃度且つ安定的に存在する気液混合液から成る機能液をミスト化することによって、有効成分を非常に高濃度で保持する機能ミストを創り出すことができるのである。
【００１０】
また、前記気液混合液をなすナノメータサイズの気泡は、０．１２ＭＰａ以上の圧力の気体で形成したものであることが好ましい。このようにすることで、気泡が高い内部圧で維持されることによってより強固な界面構造を形成することができ、気泡が液体中で消滅したり合体したりすることなくさらに安定に存在するものとなる。また、この気泡中の気体の圧力は、外部からの衝撃がない限り長期間に亘って液体からの押圧との間で均衡を保つので、気泡が安定に存在した気液混合液を、長期間に亘って利用することができる。そして、このように気泡が高濃度且つ安定的に存在する気液混合液から成る機能液をミスト化することによって、有効成分を非常に高濃度で保持する機能ミストを創り出すことができるのである。
【００１１】
また、本発明の機能ミスト生成装置が備える前記放電部３は、電極部３８と、電極部３８に密着して又は近傍に配置される絶縁スペーサ３７とを備え、電極部３８に電圧を印加することで、絶縁スペーサ３７に沿って形成される微小な放電空間Ｓ内においてマイクロプラズマ放電を生じさせるマイクロプラズマ発生装置３０であることが好ましい。このようにすることで、マイクロプラズマ発生装置３０の微小な放電空間Ｓ内で高密度のプラズマを発生させ、大量の有効成分を生成してこれを加圧部１１内に供給することができる。
【００１２】
また、本発明の機能ミスト生成装置が備える前記ミスト発生部９は、加圧部１１で与える圧力を利用して機能液をミスト化するものであることが好ましい。このようにすれば、圧力源を共通化することにより、装置全体のコンパクト化や低コスト化を達成することができる。
【００１３】
また、本発明の機能ミスト生成装置が備える前記ミスト発生部９は、機能液に電圧を印加することで該機能液に静電霧化を生じさせてミスト化する静電霧化装置１３であることも好ましい。このようにすることで、有効成分を安定的に且つ高濃度で保持する機能液が静電霧化されて成る帯電微粒子水を、機能ミストとして利用することができる。そのため、機能ミストの粒径を制御することが容易となる。また、機能ミストを帯電状態の微細なミストとして外部に放出することができる。
【００１４】
また、本発明の機能ミスト生成装置が備える前記放電部３は、電極部３８と、電極部３８に密着して又は近傍に配置される絶縁スペーサ３７とを備え、電極部３８に電圧を印加することで、絶縁スペーサ３７に沿って形成される微小な放電空間Ｓ内においてマイクロプラズマ放電を生じさせるマイクロプラズマ発生装置３０であり、且つ、前記ミスト発生部９は、機能液に電圧を印加することで該機能液に静電霧化を生じさせてミスト化する静電霧化装置１３であることも好ましい。
【００１５】
また、本発明の機能ミスト生成装置が備える前記電圧印加部４は、放電部３に電圧を印加させるための手段と、ミスト発生部９で機能液に電圧を印加するための手段とに共用するものであることも好ましい。このようにすれば、放電部３とミスト発生部９とで電圧印加手段を共通化することにより、装置全体のコンパクト化や低コスト化を達成することができる。
【発明の効果】
【００１６】
本発明の機能ミスト生成装置は、液体中に気体を加圧注入することで該液体にナノメータサイズの気泡が混合した気液混合液を生成する加圧部と、加圧部内にて加圧された状態にある気体に放電を生じさせる放電部と、放電部に高電圧を印加させる電圧印加部と、放電により有効成分が生じた気体を加圧注入することで生成された気液混合液から成る機能液をさらにミスト化するミスト発生部とを具備している。これにより、有効成分を含む気体を飽和溶解度を超える量で液体中に存在させておくことが可能となり、また、ナノメータサイズの微細な気泡に浮力が働かないことから、各気泡を液体中に長期間に亘って安定に存在させることができる。そして、加圧部において、比較的低電圧であっても有効成分を高濃度で生成することができる。
【００１７】
つまり、本発明の機能液生成装置によれば、有効成分を非常に高濃度に且つ安定的な状態で含んだ状態の気液混合液から成る機能液を、要するエネルギを低減したうえで効率的に創り出し、ひいては、有効成分を非常に高濃度に含んだ状態の機能ミストを、要するエネルギを低減したうえで効率的に創り出すことができるのである。
【図面の簡単な説明】
【００１８】
【図１】本発明の実施形態における一例の機能ミスト生成装置の全体概略図である。
【図２】同上の機能ミスト生成装置が備える放電部の概略図である。
【図３】同上の機能ミスト生成装置が備える放電部の変形例の概略図である。
【図４】（ａ）〜（ｃ）は同上の機能ミスト生成装置の一部を示す概略図である。
【図５】（ａ）〜（ｄ）は同上の機能ミスト生成装置の一部を示す概略図である。
【図６】同上の機能ミスト生成装置の一部を示す概略図である。
【図７】同上の機能ミスト生成装置が備えるミスト発生部を示す概略図である。
【図８】同上のミスト発生部の変形例を示す概略図である。
【図９】同上のミスト発生部の他の変形例を示す概略図である。
【図１０】同上のミスト発生部のさらに他の変形例を示す概略図である。
【図１１】気液混合液中に含まれる気体容量を示すグラフ図である。
【図１２】走査型電子顕微鏡（ＳＥＭ）による気液混合液の写真図である。
【図１３】気液混合液中の気泡の概念説明図である。
【図１４】窒素と水を用いた気液混合液と窒素飽和水との赤外吸収スペクトルの差分を示すグラフ図である。
【図１５】気液混合液の安定性を示すグラフ図である。
【図１６】同上の機能ミスト生成装置において圧力源を共通化した変形例の全体概略図である。
【図１７】同上の機能ミスト生成装置において電圧印加部を共通化した変形例の全体概略図である。
【発明を実施するための形態】
【００１９】
本発明を添付図面に示す実施形態に基づいて説明する。本例の機能ミスト生成装置は、有効成分を含むとともにその圧力が０．１２ＭＰａ以上である気体によって液体中にナノメータサイズの微細な気泡（以下「ナノバブル」という。）を形成し、気液混合液を生成するものである。この気液混合液をなす液体は、該液体のナノバブルとの界面に存在する分子の水素結合の距離が、該液体が常温常圧であるときの水素結合よりも短くなるように設けている。
【００２０】
図１には、本発明の実施形態における第１例の機能ミスト生成装置の基本的な構成を示している。図示のように、第１例の機能ミスト生成装置は、液体を大気圧（０．１ＭＰａ）で保持する液体貯留槽２２と、液体貯留槽２２から供給される液体に対して気体供給路１２から供給される気体を加圧注入することによって該液体にナノバブルが混合した気液混合液を生成する加圧部１１と、加圧部１１内にて加圧された気体中に放電を生じさせる放電部３と、放電部３にパルス状の高電圧を印加させる電圧印加部４と、加圧部１１にて混合させた気泡のうち大きな気泡を気体除去部１８により除去する脱気泡部１４と、脱気泡部１４により大きな気泡を取り除いた後の液体の圧力を大きな気泡を発生させることなく徐々に大気圧まで減圧させる減圧部１５と、減圧したうえで送り出された液体（つまり、本発明で創出する機能液）をミスト化して外部に吐出するミスト発生部９とを具備する。
【００２１】
上記各部は、この順に上流側から下流側へと連通するように流路１６中に接続されている。加圧部１１よりも下流側の流路１６は、内径２〜５０ｍｍ程度の管体などで形成することが好ましい。これにより、比較的太い流路断面積で気液混合液を吐出することができ、細路により流路１６を構成する場合のような配管の詰まりを防止して、気液混合液を利用しやすくできる。
【００２２】
加圧部１１は、密閉タンク状の気液混合槽２３から成る。この気液混合槽２３は、高圧条件下で気体と液体を混合させるものであり、気体が供給された液体を０．１７ＭＰａ／ｓｅｃ以上の加圧速度ΔＰ１／ｔ（ΔＰ１：圧力増加量、ｔ：時間）で加圧し、液体の圧力を０．１５ＭＰａ以上にすることにより、界面構造の強固な気泡の気液混合液をバッチ式で生成する。
【００２３】
このように、閉鎖系である気液混合槽２３にバッチ式で液体と気体とが送り出されて加圧されるとともに、気液混合槽２３に設けられた撹拌翼２４などにより撹拌されて液体Ｌｑと気体とが高圧条件で混合されることにより、気泡を形成する気体の圧力が０．１２ＭＰａ以上となり、気体を微細な気泡として安定化することができる。
【００２４】
気液混合槽２３内の上記放電部３は、例えば図２に示すようなコロナ放電装置６としてもよいし、図３に示すようなマイクロプラズマ発生装置３０としてもよい。
【００２５】
図２のコロナ放電装置６は、針状の放電電極７と、この放電電極７の先鋭状の先端部７ａと対向する位置に配置されるリング状の対向電極８とで形成される。電圧印加部４によって両電極７，８間に電圧を印加すると、気液混合槽２３内で加圧された気体内において放電を生じさせ、各種の有効成分を生成するようになっている。なお、コロナ放電装置６の構成としてはこれに限定されず、例えば放電電極７や対向電極８の少なくとも対向部分をメッシュ状に形成したり、対向電極８を平板状に形成する等の、多様な形態が選択可能である。
【００２６】
図３のマイクロプラズマ発生装置３０は、装置全体の外殻を成す本体ケース（図示せず）の外面に吸入口３２と吐出口３３を開口させ、該本体ケース内に、吸入口３２と吐出口３３を連通する風路３４を貫通形成したものである。風路３４内には送風部３５を上流側に配置し、放電発生部３６を下流側に配置している。送風部３５は送風ファンから成り、該送風ファンを回転駆動させることで気液混合槽２３内にある加圧気体を吸入口３２から風路３４内に導入して吐出口３３から吐出する。
【００２７】
放電発生部３６は、図示のようなホローカソード型のものであって、板状の絶縁スペーサ３７の厚み方向の両側に、同じく板状である金属製の電極部３８を密着配置することで、絶縁スペーサ３７を一対の電極部３８で挟持した構造となっている。一対の電極部３８は電圧印加部４を介して電気接続させており、両電極部３８間にパルス状の高電圧が印加されるようになっている。絶縁スペーサ３７及び電極部３８にはそれぞれ厚み方向に貫通する貫通孔４０，４９を設けており、絶縁スペーサ３７と電極部３８の上記密着配置により、絶縁スペーサ３７の貫通孔４０と両側の電極部３８の貫通孔４９とが厚み方向に連通している。
【００２８】
絶縁スペーサ３７の貫通孔４０の孔径は、数１００μｍ程度と微小径に設けている。両側の電極部３８の貫通孔４９の孔径については、上流側の貫通孔４９の孔径を貫通孔４０の孔径と同程度に（つまり、数１００μｍ程度に）設け、下流側の貫通孔４９の孔径を貫通孔４０の孔径よりも大きく設けている。なお、下流側の貫通孔４９を貫通孔４０の孔径と同程度に設け、両側の貫通孔４９と貫通孔４０とが一直線状に連通するようにしてもよい。
【００２９】
上記構成から成るマイクロプラズマ発生装置３０においては、送風部３５によって風路３４内に加圧気体を導入して放電発生部３６に向けて送風するとともに、電圧印加部４によって放電発生部３６の電極部３８間に高電圧を印加させる。この高電圧印加により、放電発生部３６に設けた絶縁スペーサ３７の貫通孔４０内で放電が開始され、該貫通孔４０内にマイクロメータサイズの微小なプラズマ（以下「マイクロプラズマ」という。）が高密度で生成される。上記貫通孔４０内のマイクロプラズマ放電により、コロナ放電と比較して高密度で有効成分が生成される。つまり、本例においては、数１００μｍ程度の孔径を有する上記貫通孔４０により、絶縁スペーサ３７に沿った微小な放電空間Ｓを形成し、該放電空間Ｓ内にてマイクロプラズマ放電を生じさせている。
【００３０】
送風部３５によって下流側の放電発生部３６に向けて送られた加圧気体は、放電発生部３６の貫通孔４０，４９内にまで一直線状に導入される流れと、放電発生部３６の周囲を迂回する流れとに分流される。放電発生部３６の貫通孔４０，４９内に導入された加圧気体は、貫通孔４０内に高密度で生成される有効成分を効率よく下流側に搬出させる。また、放電発生部３６の周囲を迂回する加圧気体は、上流側の電極部３８の平板面及び外周面、下流側の電極部３８の外周面及び平板面に沿って回り込むように流下し、両電極部３８の熱を効率よく奪いながら流下する。
【００３１】
分岐した上記流れは放電発生部３６の下流側にて合流し、合流後の十分な流量を伴ったうえで吐出口３３を通じて吐出される。この吐出風に乗って、放電発生部３６のマイクロプラズマ放電によって大量生成された有効成分は気液混合槽２３中に勢い良く吐出される。
【００３２】
このように、上記マイクロプラズマ発生装置３０によれば、放電発生部３６の電極部３８や絶縁スペーサ３７を送風により効率的に放熱させながら、放電空間Ｓ内のマイクロプラズマ放電により大量の有効成分を生成することができる。しかも、ここで生じた大量の有効成分を送風により効率的に貫通孔４０内から下流側に搬送させ、電極部３８や絶縁スペーサ３７の外面から熱を奪うために分流させた送風と合流させたうえで、十分な風量を伴って外部に吐出させることができる。
【００３３】
なお、このマイクロプラズマ発生装置３０にあっても、加圧部１１である気液混合槽２３内の加圧気体中にて放電を生じさせるので、比較的低電圧であってもマイクロプラズマ放電によって有効成分を高濃度で生成することが可能となる。
【００３４】
ところで、上記マイクロプラズマ発生装置３０としては、電極部３８と、電極部３８に密着して又は近傍に配置される絶縁スペーサ３７とを備え、電極部３８に高電圧を印加することで、絶縁スペーサ３７に沿って形成される微小な放電空間Ｓ内においてマイクロプラズマ放電を生じさせるものであればよく、多様な変形例が適用可能である。
【００３５】
変形例としては、例えば絶縁スペーサ３７と電極部３８との間に、数１００μｍ程度の略均等な幅で隙間を介在させることが考えられる。この場合、上記微小幅の隙間は、その外周縁部分にて周囲の風路３４と連通し、且つ、その中央部分にて絶縁スペーサ３７の貫通孔４０と連通する構造となる。そして、電圧印加部４によって電極部３８に高電圧を印加させると、絶縁スペーサ３７の貫通孔４０に加えて上記隙間においても、マイクロプラズマ放電が生じる。つまり、この変形例の場合は、上記隙間においても絶縁スペーサ３７に沿った微小な放電空間Ｓが形成され、マイクロプラズマ放電が生じるようになる。
【００３６】
また、他の変形例としては、電極部３８を絶縁スペーサ３７の上流側と下流側の一方にだけ近接又は密着配置して、放電発生部３６を形成することも考えられる。この場合でも、絶縁スペーサ３７の貫通孔４０において（絶縁スペーサ３７と電極部３８との間に隙間を設けた場合には更に該隙間においても）、絶縁スペーサ３７に沿った微小な放電空間Ｓが形成され、マイクロプラズマ放電が生じる。
【００３７】
なお、いずれの変形例においても、上流側から放電発生部３６に送り込まれる加圧気体が分流され、放電空間Ｓと電極部３８の外周面とを共に通過するように、風路３４を形成することが好ましい。これにより、放電空間Ｓ内で大量に生成した有効成分を下流側に順次送り出すことと、高温の電極部３８を効率的に放熱させることとが共に達成できるので、大量の有効成分を長時間安定して発生および吐出させることが可能となる。
【００３８】
図２、図３のいずれの形態の放電部３においても、放電により生成される有効成分は、硝酸イオン、スーパーオキサイドラジカル、ヒドロキシラジカルラジカル、オゾン等の各成分であるが、気体供給路１２から供給する気体の種類や放電部３での放電条件を適宜選択することによって、有効成分の種類や濃度を制御することができる。気体供給路１２から気液混合槽２３内に供給する気体としては、空気、二酸化炭素、窒素、酸素、オゾン、アルゴン、水素、ヘリウム、メタン、プロパン、ブタン等の適宜気体を単一で又は混合して供給することができる。
【００３９】
例えば、空気から成るナノバブルに放電を生じさせた場合には、有効成分として上記各成分を生成することができ、メタンや酸素から成るナノバブルに放電を生じさせた場合には、有効成分として上記各成分に加えてメタノール、ギ酸等を大量に生成することができる。このメタノールやギ酸により、さらに持続的な殺菌効果が得られる。また、窒素やオゾンから成るナノバブルに放電を生じさせた場合には、有効成分としてスーパーオキサイドラジカル、ヒドロキシラジカルをさらに大量に生成することができる。
【００４０】
そして、有効成分を含む気泡が存在する気液混合液から、脱気泡部１４を通じて大きな気泡を取り除いた後、この気液混合液を減圧部１５に送り出してその圧力を最高減圧速度２０００ＭＰａ／ｓｅｃ以下の減圧速度ΔＰ２／ｔ（ΔＰ２：減圧量、ｔ：時間）で大気圧まで減圧し、ナノバブルを含む気液混合液（即ち、本発明での機能液）としてミスト発生部９に送り出す。
【００４１】
ここで生成される機能液は、ナノバブルを高濃度で含むものであって、そのために顕著な特性を有する。具体的には改めて詳述するが、本発明で生成するナノバブルは非常に微細なものであって、液体中にその飽和溶解濃度以上の高濃度で気体を保持できるという特性や、浮力が働かないため液体中に長期間に亘って安定に存在させることができるという特性や、気泡界面の水素結合距離が短く、気泡の内圧が高くなることによって高濃度のナノバブルを安定的に保持できるという特性を有する。
【００４２】
そして、このような特性のナノバブル内に各種の有効成分を存在させることによって、有効成分を非常に高濃度に且つ安定的に保持する機能液が創り出されるのである。
【００４３】
なお、加圧部１１を成す気液混合槽２３を複数設けて、複数回加圧する構成にしてもよい。液体を送りながら複数回加圧することにより、液体を強力に加圧して、気泡界面の構造が強固な気液混合液を生成することができる。
【００４４】
以上、本例の機能ミスト生成装置の基本的な構成について述べた。以下においては、本例の機能ミスト生成装置をなす各部のさらに詳細な構成について、図４〜図１０に基づいて詳述する。
【００４５】
上記脱気泡部１４は、上記のようにして気体が混合された液体から、比較的大きな気泡を取り除くものであって、気泡をそれ自身の浮力で上昇させて取り除くようにした管体などで、構成することができる。取り除かれた気泡は気体となって上部に集積するので、この除去された気体を弁などの気体除去部１８により取り除くことができる。浮力により上昇する気泡としてはマイクロオーダーサイズ、すなわち直径１μｍを超えるサイズの気泡であり、このような比較的大きい気泡が取り除かれて微細な気泡であるナノバブルが液体中に存在することにより、気泡の内部圧が高く安定な気液混合液を得ることができる。
【００４６】
脱気泡部１４としては、具体的には、図４に示すような構成にすることができる。図４（ａ）には、気液混合槽２３と連続して地表面に略水平（重力方向に対して略垂直な平面上）な姿勢となるように形成し、液体Ｌｑ中の気泡Ｂをその浮力によって液面まで上昇させて気泡Ｂを取り除くようにした管体の例を示している。また、図４（ｂ）には、気液混合槽２３に連続すると共に気液混合槽２３と合わせた形状が正面視逆Ｌ字型となるように形成し、液体Ｌｑの流れ方向を下方向（重力方向と略同方向）にすることで、液体Ｌｑ中の気泡Ｂをその浮力によって液面まで上昇させて気泡Ｂを取り除くようにした管体の例を示している。また、図４（ｃ）には、気液混合槽２３とは別体にし、液体Ｌｑの流れ方向を下方向（重力方向と略同方向）にして液体Ｌｑ中の気泡Ｂをその浮力によって液面まで上昇させて気泡Ｂを取り除くようにした管体の例を示している。
【００４７】
上記減圧部１５は、脱気泡部１４の下流側に設けたものであり、加圧された状態の気液混合液を送り出す際に、減圧部１５において大気圧まで徐々に減圧をした後に、吐出するように設けている。このような減圧部１５を設けているのは、上記のように加圧により気体と混合された液体は高圧状態にあるので、そのまま大気圧下にある外部に排出すると、急激な圧力低下により気液混合液中の気泡が合体して液体から排出されるおそれや、キャビテーションが発生するおそれがあるからである。
【００４８】
減圧部１５は、気体が混合された液体を送りながら、配管全域での減圧速度ΔＰ２／ｔ（ΔＰ２：減圧量、ｔ：時間）の上限を２０００ＭＰａ／ｓｅｃ以下にして減圧するように構成されている。これにより、強固な気泡界面の構造を維持させたまま、ナノバブルを消滅させたり合体させたりすることなく、気液混合液を取り出すことができる。
【００４９】
減圧部１５として、具体的には、図５のような構成にすることができる。つまり、減圧部１５を、図５（ａ）のように流路断面積が段階的に徐々に小さくなる流路１６で構成してもよいし、図５（ｂ）のように流路断面積が連続的に徐々に小さくなる流路１６で構成してもよい。また、減圧部１５を、図５（ｃ）のように気液混合液の圧力を高圧状態（Ｐ１）から（Ｐ２、Ｐ３、・・・）大気圧（Ｐｎ）にまで圧力損失で徐々に減圧するように流路長さ（Ｌ）を調整した流路１６で構成してもよいし、図５（ｄ）のように流路１６に設けた複数の圧力調整弁１９などにより構成してもよい。
【００５０】
例えば、図５（ａ）または図５（ｂ）のような減圧部１５を用いた場合、減圧部１５よりも上流側の流路１６を内径２０ｍｍにし、減圧部１５を、流路長さが約１ｃｍ〜１０ｍで、内径が２０ｍｍから４ｍｍにまで徐々に小さくなることにより流路断面積が小さくなる管体により構成することができる。なお、減圧部１５は、入口内径／出口内径＝２〜１０程度に設定することや、１ｃｍあたりの内径減少値を１〜２０ｍｍ程度に設定することができる。このとき、減圧部１５に対して４×１０−６ｍ／ｓ以上の流速で気液混合液を送ると、最高減圧速度２０００ＭＰａ／ｓｅｃ以下で、ナノバブルを消滅させることなく１．０ＭＰａ減圧することができ、気液混合液を大気圧にまで減圧することができる。
【００５１】
ミスト発生部９は、減圧された気液混合液である機能液を、ミスト化して吐出するものである。なお、図６のように、このミスト発生部９と減圧部１５との間に、加圧部１１における液体の押し込み圧を十分に確保するために延長流路２０を設けることもできる。このとき、減圧部１５を含めた全体の圧力損失を算出したうえで、気液混合槽２３内で液体と気体を加圧するのに必要な押し込み圧と、全体の圧力損失との差を算出し、さらにこの差の分だけ圧力損失が生じるように流路長さを調整した延長流路２０を、流路１６に付加する。押し込み圧の確保には、絞り部などを設けることも考えられるが、絞り部などで押し込み圧を調整する場合には、急激な圧力変化により気泡が崩壊するおそれがある。これに対して、上記延長流路２０を設けた場合には、気泡が安定化した状態の気液混合液を機能液として、ミスト発生部９に供給することができる。
【００５２】
ミスト発生部９としては、図７〜図１０に示すような装置のいずれかを用いることができる。図７に示すものは風圧を利用して機能液をミスト化する噴霧装置１０であり、図８に示すものは機能液に電圧を印加することで該機能液に静電霧化を生じさせてミスト化する静電霧化装置１３である。また、図９に示すものは、超音波振動により機能液をミスト化する超音波噴霧装置であり、図１０に示すものは、表面弾性波により機能液を霧化する表面弾性波噴霧装置である。
【００５３】
図７に示す噴霧装置１０は、機能ミスト生成装置の流路１６を通じて生成されて送り出される機能液を貯留するタンク状の機能液貯留部５０と、この機能液貯留部５０内の機能液を適量ずつ先端に搬送する細管状の搬送路５１と、圧力源５２と、圧力源５２からの風圧を搬送路５１の先端に搬送された機能液に対して与える送風路５５と、圧力源５２からの風圧により霧化された機能ミストが吹き当たる壁部５３とを具備する。壁部５３に吹き当たった機能ミストは更に小粒の機能ミストとなり、外部空間へと放出される。符号５４は還流部であり、壁部５３に当たった機能ミストの一部を機能液貯留部５０に戻すようになっている。
【００５４】
この噴霧装置１０によれば、生成した機能液を風圧によって順次霧化させ、機能ミストとしたうえで外部空間へと放出することができる。ここで、本発明の機能液を霧化して生成する機能ミストは、有効成分を非常に高濃度で保持するものとなる。
【００５５】
というのも、上述したように本発明で生成する機能液が有効成分を非常に高濃度に且つ安定的に保持するものとなっているので、この機能液を霧化して成る機能ミストは有効成分を非常に高濃度で保持するもとなるからである。
【００５６】
図８に示す静電霧化装置１３は、機能ミスト生成装置の流路１６を通じて生成されて送り出される機能液を貯留するタンク状の機能液貯留部６０と、この機能液貯留部６０内の機能液が適量ずつその先端部に搬送される放電電極６１と、放電電極６１に対して高電圧を印加する電圧印加部６２とを具備する。図示例では放電電極６１と対向する箇所に電極６３を備え、この電極６３との間で放電電極６１に高電圧を印加するようになっているが、電極６３を備えずに放電電極６１に高電圧を印加する構成であってもよい。
【００５７】
放電電極６１の先端部において機能水に高電圧を印加することで生成した帯電微粒子水は、すなわち機能ミストとなり、外部空間へと放出される。ここで生成される機能ミストも、やはり有効成分を非常に高濃度で保持するものとなる。
【００５８】
図９に示す超音波噴霧装置は、機能ミスト生成装置の流路１６を通じて生成されて送り出される機能液を貯留するタンク状の機能液貯留部７０と、この機能液貯留部７０内の機能液に対して超音波振動を与える超音波振動子７１と、超音波振動子７１に対して電力を供給する電力供給部７２とを具備する。機能水を超音波振動させることで生成したミストは、すなわち機能ミストとなり、外部空間へと放出される。ここで生成される機能ミストも、やはり有効成分を非常に高濃度で保持するものとなる。
【００５９】
図１０に示す表面弾性波噴霧装置は、機能ミスト生成装置の流路１６を通じて生成されて送り出される機能液を貯留するタンク状の機能液貯留部（図示せず）と、この機能液貯留部内の機能液がその表面に適量ずつ搬送される基板部８０と、基板部８０に対して表面弾性波を生じさせる振動子８１と、振動子８１に電力を供給する高周波電源８２とを具備する。基板部８０上の機能水に表面弾性波を与えることで生成したミストは、すなわち機能ミストとなり、外部空間へと放出される。ここで生成される機能ミストも、やはり有効成分を非常に高濃度で保持するものとなる。
【００６０】
なお、図７〜図１０に示す各形態のミスト発生部９においては、それぞれ以下のような利点がある。つまり、例えば図７に示すように風圧を利用する噴霧装置１０にあっては、機能ミストを大容量で生成することが容易であるという利点があり、図８に示す静電霧化装置１３であれば、機能ミストの粒径を制御しやすいという利点や、帯電した状態で機能ミストを放出することができるという利点がある。また、図９に示す超音波噴霧装置や図１０に示す表面弾性波噴霧装置であれば、ミスト発生部９ひいては機能ミスト生成装置全体をコンパクト化できるという利点がある。
【００６１】
上記したように、本例の機能ミスト生成装置にあっては、加圧部１１をなす気液混合槽２３にまで液体を圧送し、圧送された液体に対して気体供給路１２から供給した気体を注入する。そして、気体が注入された液体を、０．１７ＭＰａ／ｓｅｃ以上の加圧速度ΔＰ１／ｔ（ΔＰ１：圧力増加量、ｔ：時間）で加圧し、液体の圧力を０．１５ＭＰａ以上にする。すなわち、気液混合槽２３から脱気泡部１４へ送り出される際の液体の圧力は０．１５ＭＰａ以上になっている。その後、脱気泡部１４で気液混合液中のナノサイズを超える気泡を取り除き、さらに該液体を減圧部１５および下流側の流路１６に送りながら最高減圧速度２０００ＭＰａ／ｓｅｃ以下の減圧速度ΔＰ２／ｔ（ΔＰ２：減圧量、ｔ：時間）で徐々に大気圧まで減圧する。この工程により、所望のナノバブルが高濃度で且つ安定的に存在した気液混合液を生成し、これを機能液としてさらにミスト化することで、機能ミストを外部に放出することができる。
【００６２】
以下においては、０．１２ＭＰａ以上の圧力の気体からなるナノバブルが存在する気液混合液の一例として、液体として純水を用い、気体として窒素、水素、メタン、アルゴン、二酸化炭素のいずれかを用いた場合の気液混合液中における［気体量］、［気泡のサイズ］、［気泡の内圧］、［水素結合の距離］、［気泡の分布量］、［気液混合液の安定性］の各特性を、図１１〜図１５に基づいて順に詳述する。
【００６３】
［気体量］
液体として純水を、気体として窒素、水素、メタン、アルゴン、二酸化炭素のいずれかを使用した気液混合液中に、気泡として存在する気体量を次の方法により測定した。
（１）２５℃、導電率０．１μＳ／ｃｍの純水に、各種の気体を混合させ気液混合液を得た。
（２）直径１μｍ以上の大きな気泡を水から分離するために、気液混合液を２５℃で１日静置した。なお、静置時間について、ストークスの法則から
気泡上昇速度：  Ｖ＝ｄ２×ｇ／（１８×γ）
（ｄ：気泡直径、ｇ：重力加速度、γ：動粘性係数）
の式が成立し、この式より１μｍの気泡の上昇速度は約２．４×１０−４ｍ／ｓであるので、例えば静置時の容器の水深が５０ｍｍの場合、１日静置すれば気泡を除去することができる。
（３）最小測定値１ｍｇの分析天秤で気液混合液の質量を測定した。
（４）ガス透過度および透湿度の低いＰＥ＋ナイロン樹脂製のビニル袋に気液混合液とスタラーの撹拌子を入れ、空気を追い出して袋に空気が無い状態でシーラーにてビニル袋を密封した。
（５）密封直後に、分析天秤で気液混合液が封入されたビニル袋の質量を測定した。
（６）ホットスタラーにより２５℃の気液混合液が密封されたビニル袋を４５℃に昇温して気液混合液を約５時間撹拌した。この昇温と撹拌により、微細気泡や、４５℃の飽和溶解濃度以上で溶解していた気体が気液混合液から分離されビニル袋の上部に集まった。
（７）室温２５℃の条件でホットスタラーの設定温度を２５℃にし、２５℃の飽和溶解度の液体になるよう数時間撹拌を行った。
（８）分析天秤で、気体と液体が封入されたビニル袋の質量を測定した。
（９）計３回の質量測定から気液混合液の質量と、昇温および撹拌によって気液混合液から分離された気体による浮力によって生じる液体の質量変化量とを得た。質量変化量は、気液混合液から分離された気体容積と同容積の空気の質量と同じであり、この値から分離された気体の容量と質量を算出することができる。
【００６４】
図１１は、このようにして測定された気体容量を示すグラフである。各棒グラフの下部領域は、測定された気泡として存在していた気体の量であり、上部領域はヘンリー則に従う気体の飽和溶解量である。グラフに示すように、例えば水素と水を用いた気液混合液の場合、２５℃の純水１Ｌに水素が、飽和溶解量として１７．６ｍＬ溶解し、５２８ｍＬの気体が微細な気泡として存在することが確認された。すなわち、気液混合液に含有する気体量は過飽和溶解量の約３０倍であった。また同様に、過飽和溶解量に対して気液混合液に含有する気体量は、窒素では約３６倍、メタンでは約１７倍、アルゴンでは約１６倍、二酸化炭素では約１．９倍であった。このように、ナノバブルを有する気液混合液は、飽和溶解濃度以上の高濃度で気体を液体中に保持することが可能である。
【００６５】
［気泡のサイズ］
上記と同様にして製造した気液混合液を瞬間凍結し、真空中においてカッターで割断し、その割断面にメタン・エチレンを流し放電させ、凹凸を転写した炭化水素膜（レプリカ膜）を作製した。このレプリカ膜に導電性オスミウム薄膜を張り、十分乾燥させて、走査型電子顕微鏡（ＳＥＭ）で観測した。図１２は、窒素と純水の気液混合液について、ＳＥＭにより観測された写真の第１例である。同様に写真観察することにより、気体として窒素、水素、メタン、アルゴン、二酸化炭素を用いた場合、いずれも気液混合液の気泡サイズは、直径の分布ピークが１００ｎｍであることが確認された。なお、上記の気体と純水の気液混合液の気泡はレーザーを用いた動的散乱法等の粒子径分布測定装置では正確な検知ができなかった。
【００６６】
［気泡の内圧］
気液混合液中の気体総量から、気泡内部の圧力を算出した。以下の表１は、窒素、メタン、またはアルゴンと２５℃の純水との気液混合液における、気体総量と、気体総量から算出した気泡の内圧を示している。
【００６７】
【表１】
2011025203.tif 000003
【００６８】
ここでの気泡における気体の内部圧力は、次の方法で算出される。
気体の状態方程式は、
ＰＶ／Ｔ＝（ｃｏｎｓｔ）
（Ｐ：内部圧力、Ｖ：容積、Ｔ：内部温度）
で表され、Ｔが一定の場合、特に
ＰＶ＝（ｃｏｎｓｔ）
で表される。
【００６９】
そして、気液混合液の密度から気液混合液中の気泡の容積が計算でき、上式から、
大気圧  ×  気体総体積量  ＝  気泡の内圧  ×  液中の気体総体積量
の関係が成立し、この関係式に上記で測定した気体量を当てはめて気泡における気体の内圧が計算され、表１のような圧力値となる。
【００７０】
例えば気体が窒素の場合、気液混合液１リットル中における、水体積がw1リットル、水中での気体体積がw2リットルであると仮定すると、体積については次の関係式が成り立つ。
【００７１】
w1  ＋  w2  ＝１リットル    （式Ａ）
また、質量については次の関係式が成り立つ。
【００７２】
w1  ×  水の密度  ＋  w2÷22.4（リットル）×28（分子量）＝測定質量  （式Ｂ）
水の密度        ：常温常圧の純水では997.1g/L
22.4リットル    ：気体１モルの体積
測定質量        ：表１の値で988.3
上記の２式（式Ａ，Ｂ）の方程式を解くと、
w2=8.84×10^(-3)    が算出されるので、
気体の内圧＝大気圧  ×  気体総体積量  ÷  液中の気体総体積量
＝0.1×（表１の値）÷w2
＝0.1×0.56÷(8.84×10^(-3))
＝６．３ＭＰａ
となる。
【００７３】
なお、上記の計算では、気泡の内部温度が一定（常温）であるとして考えたが、実際の気泡の内部温度については大気の温度（常温）より高いことも予想され、その場合、気泡の内部圧は上記算出結果より更に高いことが気体の状態方程式から予測できる。
【００７４】
ところで、一般には、気泡の内圧は次のようにして算出される。気泡は気液相界面間の界面張力により加圧され、この界面張力はヤングラプラスの式（下記式）で導かれる。
【００７５】
ΔＰ＝２σ／ｒ
（ΔＰ：上昇圧力、σ：表面張力、ｒ：気泡半径）
この式によれば、例えば、直径１００ｎｍのサイズの気泡の場合、気泡内部圧力は３ＭＰａになる。
【００７６】
一方、気液混合液中の内部圧力は、表１の通り、例えば窒素の場合６．３ＭＰａであり、この気液混合液はＳＥＭ写真にて示されるように直径１００ｎｍサイズの気泡が分散しているものであることから、気液混合液の気泡は、ヤングラプラスの式から算出される値の約２倍以上の内部圧力を有していることが確認された。したがって、より強固な界面構造が気泡界面において形成されていると結論づけられる。
【００７７】
図１３は、気液混合液が安定化されるメカニズムを説明する概念説明図である。図示のように、気泡Ｂと液体Ｌｑの界面には、水素結合距離が通常よりも短い氷やハイドレートのような強固な水分子の結合で境膜構造（結晶構造体）の保護膜Ｍが形成されており、気液相互の物質移動が阻止されて気泡が安定な状態になったものと考えられる。そして、窒素、メタン、アルゴンの気液混合液内の気泡（ナノバブル）の内圧は、ヤングラプラスの式から求められる圧力よりも約２倍以上である。このように気泡界面の水素結合距離が短く、気泡の内圧が高くなることによって、気泡が安定した気液混合液となるのである。
【００７８】
［水素結合の距離］
図１４は、液体として純水、気体として窒素を使用した気液混合液（窒素混合水）と、窒素が純水に飽和溶解濃度で溶解した窒素飽和水との赤外吸収スペクトルとの差分を示すグラフである。水のＯＨ収縮振動による赤外吸収帯としては通常３４００ｃｍ−１付近に吸収極大があることが知られているが、グラフに示されるようにＯＨ収縮振動の吸収極大が３２００ｃｍ−１付近にずれている。吸収極大が３４００ｃｍ−１にある場合、水素結合の距離は０．２８５ｎｍである。一方、吸収極大が３２００ｃｍ−１にある場合、水素結合の距離は０．２７７ｎｍであることが知られており、常温常圧下における通常の水素結合の距離よりも短くなり構造化された氷またはハイドレートに近い水と結論づけられる。
【００７９】
［気泡の分布量］
気泡の分布量（個数）は表１から算出した。
【００８０】
気体が窒素の場合、大気中（0.1MPa)に戻した気泡総量が0.56Lであり、気泡の内圧が6.3MPaであるので、水中での気泡総体積量V１は、等温変化と仮定し、ＰＶ=constより
V１=0.56×0.1÷6.3
となる。
【００８１】
また、気泡は半径ｒ＝50nmの球体であるから、気泡１個当たりの体積V2は
V2=4/3×π×ｒ^3
となる。
【００８２】
以上より、水１Ｌ当たりの気泡の個数n=V1÷V2=1.7×10^16個と算出される。
【００８３】
同じように水１Ｌ当たりの気泡の個数は、気体がメタンの場合は1.8×10^16個、アルゴンの場合は1.7×10^16個と算出される。
【００８４】
［気液混合液の安定性］
図１５は、空気を純水に混合させて生成した気液混合液について、ガラスビンに密封し一定温度で保管した場合の、飽和溶解濃度に対する気液混合液中の気体存在量比を過飽和度として表示するグラフである。グラフから、過飽和度は４００時間経過しても６であり、ほとんど変化していないことが分かる。よって、本発明の気液混合液が長期間に亘って非常に安定であることが確認された。
【００８５】
このように、機能ミスト生成装置で得ることができる気液混合液は、ナノバブルが液体中に存在しているものであり、ナノバブルを形成する気体の圧力、すなわち内圧は０．１２ＭＰａ以上である。このように、気泡の内圧は、常温（２５℃）において大気圧（１気圧＝０．１０１３ＭＰａ）よりも十分に高いものであり、気泡が高い内部圧で維持されることになる。そのため、強固な界面構造を気泡界面において形成することができ、気泡を液体中で消滅させたり合体させたりすることなく、安定に存在させることができる。また、このナノバブル中の気体の圧力は、外部からの衝撃がない限り長期間に亘って液体からの押圧との均衡を保つものであるから、ナノバブルが安定に存在した気液混合液を長期間に亘って利用することが可能になる。なお、気液混合液に一旦衝撃が加えられると、内部圧の力によりナノバブルが合体して発泡するため、この発泡を利用することもできる。
【００８６】
つまり、機能ミスト生成装置で生成するナノバブルは、従来の表面張力で安定している気泡とは異なるものである。
【００８７】
ナノバブルを形成する気体の圧力を、ヤングラプラスの式で与えられる気泡の内圧より高い圧力にすることで、より強固な界面構造を確実に形成することができる。また、ナノバブルを有する気液混合液においては、該気液混合液に含有される気体の濃度を、液体の飽和溶解濃度以上にすることができる。これにより、液体中に含有された高濃度の気体を利用することができ、気液混合液の利用価値を高めることができる。
【００８８】
なお、気液混合液としては、液体中には飽和溶解量の気体が溶解しており、その飽和溶解液にナノバブルが存在しているものとすることがさらに好ましい。飽和溶解量で気体が溶解していれば、気泡となった気体を溶解させることなく安定化して気泡として液体中に保持することがより可能となる。すなわち、飽和溶解量以上に気体が存在する気液混合液は、液体中に飽和濃度で気体が溶解しており、気泡が崩壊したり溶解したりすることがなく、より安定に気泡を液体中に存在させることができるのである。さらに、ナノバブルを形成する気体の溶解濃度が、飽和溶解濃度であれば、気泡を形成する気体の圧力が高くなって気泡界面の構造が強固になるので、さらにナノバブルを安定化することができ、また、各種の活性（生理活性、洗浄力等）の作用が強力になって、利用価値をさらに上げることもできる。
【００８９】
また、ナノバブルは非常に微細なものであるから、気泡の内部圧を安定化することや、高濃度の気体を液体中に保持することが可能となる。また、ナノバブルには浮力が働かないため、気泡を長期に亘って安定に存在させることができる。この範囲より気泡が小さくても大きくても、気泡を安定化させることができなくなるおそれがある。ところで、マイクロバブルが混合された液体は白濁するため目視により判別可能であるが、ナノバブルが混合された液体は無色透明（あるいは液体が有色の場合は液体の色）となる。
【００９０】
気液混合液に用いる液体としては、水素結合を形成する分子からなる液体であることが好ましく、その際、液体のナノバブルとの界面に存在する分子の水素結合の距離が、該液体が常温常圧（２５℃、１気圧（０．１０１３ＭＰａ））であるときの水素結合の距離よりも短くなることが好ましい。水素結合とは、電気陰性度の大きい原子と水素原子とを有している分子において、水素原子が他の分子の電気陰性度の大きい原子に接近し、系が安定化する結合のことである。そして、この場合、気液混合液を形成する液体中に存在するナノバブルの周囲、すなわち気泡界面においては、液体の水素結合の距離が、この液体の常温常圧での水素結合の距離よりも短いものとなるのである。
【００９１】
このように、気液混合液が常温常圧の条件で存在する場合において、気泡界面における水素結合の距離が常温常圧での通常の水素結合の距離よりも短くなることにより、ナノバブルの周囲を強固な水素結合を形成した液体分子で取り囲むことになる。そして、この水素結合を形成した液体分子は強固な殻となってナノバブルを包み込む。それによって、ナノバブル同士が衝突しても崩壊することが防止される。また、液体からの圧力に対してナノバブル内部からの応力で対抗できるので、ナノバブルを液体中で消滅させたり合体させたりすることなく保持することができるものである。
【００９２】
ナノバブルとの界面における液体分子の水素結合の距離は、用いる液体によって適宜設定され得るものであるが、常温常圧での水素結合の距離を１００％とした場合に、９９％以下であることが好ましい。水素結合の距離がこの範囲になることで、ナノバブルを水素結合の硬い殻で取り囲んで安定化させることができる。水素結合の距離がこれより長いと、ナノバブルを安定化させて存在させることができなくなるおそれがある。原子間距離を考慮すると、水素結合の距離の下限は９５％である。
【００９３】
ところで、水素結合の距離が短くなると、通常、水が氷になるように固体やハイドレート結晶構造へと状態変化するのだが、上記の気液混合液においては、気泡界面において局所的に距離の短い水素結合を形成し、それ以外の液体中は通常の水素結合を形成している。すなわち、気泡界面では距離の短い水素結合により液体分子の硬い殻を形成して、ナノバブル同士が合体することや消滅することを防止すると共に、気泡界面以外では通常の状態で液体が存在して常温常圧では流動性を確保している。これにより、安定なナノバブルが存在している液体を利用しやすくなっている。
【００９４】
また、気液混合液に用いる液体を水とした場合、水分子により、ナノバブルの界面において該ナノバブルの内部圧を吸収する強固な界面構造を形成することができ、ナノバブルをより安定化させることができる。なお、このように水を用いた場合の気液混合液から成る機能液は、すなわち機能水となる。
【００９５】
水分子は、Ｏ…Ｈの水素結合、つまり、ある水分子の酸素原子と他の水分子の水素原子との間に水素結合を形成するものであり、したがって、気液混合液の液体として水を用いると、気泡界面において液体中のこの水素結合が強固になってナノバブルをより安定化させることができる。さらにいえば、水は供給源が豊富で安定して得ることができ、加えて、ナノバブルが分散した水は応用範囲が広いため、利用価値の高い気液混合液を得ることができる。水としては純度の高い水に限られず、上下水道、池、海水などをはじめ、あらゆる水を使用することが可能である。すなわち、液体として水を含むものであればよい。
【００９６】
また、液体については、Ｏ−Ｈ結合、Ｎ−Ｈ結合、Ｆ−Ｈ結合やＣｌ−Ｈ結合などの（ハロゲン）−Ｈ結合、Ｓ−Ｈ結合のいずれか一種以上を有する分子からなる液体であることも好ましい。これらの液体によりナノバブルの界面において該ナノバブルの内部圧を吸収する強固な界面構造を形成することができ、ナノバブルをより安定化させることができる。また、これらの液体は、水素原子に対して電気陰性度が十分に大きい原子と水素原子との結合を有する液体であり、Ｏ−Ｈ…Ｏ、Ｎ−Ｈ…Ｎ、Ｆ−Ｈ…ＦやＣｌ−Ｈ…Ｃｌなどの（ハロゲン）−Ｈ…（ハロゲン）、Ｓ−Ｈ…Ｓといった水素結合を形成し、この水素結合によりナノバブルを取り囲んで安定化させることができる。Ｏ−Ｈ結合を有する代表的な液体は水であるが、その他、過酸化水素や、メタノール、エタノールなどのアルコール、グリセリンなども挙げられる。また、Ｎ−Ｈ結合を有する液体としては、アンモニアなどが挙げられる。また、（ハロゲン）−Ｈ結合を有するものとしては、Ｆ−Ｈ結合を有するＨＦ（フッ化水素）、Ｃｌ−Ｈ結合を有するＨＣｌ（塩化水素）が挙げられる。Ｓ−Ｈ結合を有するものとしては、Ｈ２Ｓ（硫化水素）が挙げられる。
【００９７】
また、液体が、カルボキシル基を有する分子からなる液体であることも好ましい。これにより、カルボキシル基を有する液体により、ナノバブルの界面において該ナノバブルの内部圧を吸収する強固な界面構造を形成することができ、ナノバブルをより安定化させることができる。また、カルボキシル基には、電気陰性度が大きいカルボニルの酸素原子が存在しており、カルボキシル基中のカルボニルの酸素原子と他のカルボキシル基中の水素原子とが水素結合を形成してナノバブルを取り囲むので、安定にナノバブルが存在した気液混合液が得られるのである。カルボキシル基を有する分子からなる液体としては、ギ酸、酢酸などのカルボン酸などが挙げられる。
【００９８】
また本発明において得られる気液混合液では、液体として水を用いた場合にゼータ電位がマイナスとなり、体積１ｃｍ３中に存在する気泡界面の面積は０．６ｍ２程度となる。このような特性を利用することも可能である。
【００９９】
上述したように、本例の機能ミスト生成装置で採用する気液混合液によれば、有効成分を含む気体を飽和溶解度を超える量で液体中に存在させておくことが可能となる。また、ナノメータサイズの微細な気泡に浮力が働かないことから、有効成分を含む気泡を液体中に長期間に亘って安定に存在させることができる。そして、有効成分を発生させるための放電箇所として加圧部１１を利用することで、比較的低電圧であっても有効成分を高濃度で生成することが可能となっている。
【０１００】
つまり、有効成分を非常に高濃度に且つ安定的な状態で含んだ状態の気液混合液から成る機能液を、要するエネルギを低減したうえで効率的に創り出すことが可能となるのである。
【０１０１】
以上、一例の機能ミスト生成装置について詳述した。以下においては、上記した機能ミスト発生装置をさらに変形した場合の実施例について述べる。なお、既述した構成と同様については詳しい説明を省略する。
【０１０２】
図１６に示す変形例では、ミスト発生部９として、風圧を利用して機能液をミスト化する噴霧装置１０（図７参照）を用い、この噴霧装置１０と加圧部１１とでその圧力源５２を共通化している。
【０１０３】
この例では、ガスボンベやコンプレッサーから成る圧力源５２を備えておき、この共通の圧力源５２から、気体供給路１２を通じて加圧部１１（気液混合槽２３）内に気体を供給するとともに、気体供給路１２から分岐した送風路５５を通じて、噴霧装置１０の搬送路５１先端にまで気体を供給する。つまり、風圧を利用する噴霧装置１０からなるミスト発生部９は、加圧部１１で与える圧力を利用して機能液をミスト化することができるのである。
【０１０４】
図１７に示す変形例では、ミスト発生部９として、機能液に電圧を印加することで該機能液に静電霧化を生じさせてミスト化する静電霧化装置１３（図８参照）を用い、この静電霧化装置１３と放電部３とで、電圧印加手段を共通化している。
【０１０５】
この例では、電圧印加部４（６２）を共通の電圧印加手段として備えておき、この電圧印加手段によって、放電部３への高電圧印加を行うとともに、静電霧化装置１３の放電電極６１に対する高電圧印加を行う。つまり、この例で備えてある電圧印加部４（６２）は、放電部３に電圧を印加させるための手段と、ミスト発生部９で機能液に電圧を印加するための手段とに共用するものとなっている。
【０１０６】
以上、本発明を添付図面に示す実施形態に基づいて説明したが、本発明は上記各例の実施形態に限定されるものではなく、本発明の意図する範囲内であれば、各例において適宜の設計変更を行うことや、各例の構成を適宜組み合わせて適用することが可能である。
【符号の説明】
【０１０７】
３  放電部
４  電圧印加部
９  ミスト発生部
１１  加圧部
１３  静電霧化装置
３０  マイクロプラズマ発生装置
３７  絶縁スペーサ
３８  電極部
６２  電圧印加部
Ｓ  放電空間
【図１】
2011025203.tif 000004
【図２】
2011025203.tif 000005
【図３】
2011025203.tif 000006
【図４】
2011025203.tif 000007
【図５】
2011025203.tif 000008
【図６】
2011025203.tif 000009
【図７】
2011025203.tif 000010
【図８】
2011025203.tif 000011
【図９】
2011025203.tif 000012
【図１０】
2011025203.tif 000013
【図１１】
2011025203.tif 000014
【図１３】
2011025203.tif 000015
【図１４】
2011025203.tif 000016
【図１５】
2011025203.tif 000017
【図１６】
2011025203.tif 000018
【図１７】
2011025203.tif 000019
【図１２】
2011025203.tif 000020